(57)【要約】【課題】本発明の目的は、十分に有害鳥獣を威嚇することができる動物防除装置を提供することにある。【解決手段】動物防除装置１は、動物の可聴周波数を含む音波を放射する音放射部２と、音放射部を支持する支持部材３と、を備え、音放射部には、周波数よりも大きな周波数の超音波をキャリアとする超指向性スピーカ装置２０が複数の複数設けられている。これにより、有害鳥獣を威嚇するのに十分な音圧が確保されることになる。【選択図】図１
2016028558.tif 000002
【特許請求の範囲】
【請求項１】
動物の可聴周波数を含む音波を放射する音放射部と、
前記音放射部を支持する支持部材と、を備え、
前記音放射部には、前記周波数よりも大きな周波数の超音波をキャリアとする超指向性スピーカ装置が複数の複数設けられていることを特徴とする動物防除装置。
【請求項２】
前記支持部材には、前記音放射部の向きを調整するためのグリップ部が設けられていることを特徴とする請求項１記載の動物防除装置。
【請求項３】
前記音放射部の音の放射状態を操作する操作部を備え、
前記操作部の少なくとも一部が、前記グリップ部を握った側の手で操作可能な範囲に設けられていることを特徴とする請求項２記載の動物防除装置。
【請求項４】
重量が３ｋｇ以下となるように構成されていることを特徴とする請求項１乃至請求項３のうちいずれか一項記載の動物防除装置。
【請求項５】
前記音放射部を駆動する駆動装置と、
前記駆動装置を制御するための制御装置と、を備え、
前記制御装置が、前記音放射部の音放射方向とは反対側に設けられていることを特徴とする請求項１乃至請求項４のうちいずれか一項記載の動物防除装置。
【請求項６】
前記駆動装置に伝送する複数のデータが記憶される記憶装置と、
該記憶装置に記憶された前記複数のデータにしたがって電気信号を出力させる信号発生装置と、を備えたことを特徴とする請求項５記載の動物防除装置。
【請求項７】
前記超指向性スピーカ装置が、パラメトリック現象を利用した超指向性スピーカ装置であることを特徴とする請求項１乃至請求項６のうちいずれか一項記載の動物防除装置。
【請求項８】
前記超指向性スピーカ装置が、ＦＭ変調を利用した超指向性スピーカ装置であることを特徴とする請求項１乃至請求項６のうちいずれか一項記載の動物防除装置。
【請求項９】
前記複数の超指向性スピーカ装置から放射される音波の進行方向が同じ方向であることを特徴とする請求項１乃至請求項８のうちいずれか一項記載の動物防除装置。
【請求項１０】
前記複数の超指向性スピーカ装置は、音波が放射される面が同一平面上に設けられていることを特徴とする請求項９記載の動物防除装置。
【請求項１１】
複数の前記超指向性スピーカ装置が、互いに等間隔に配置されていることを特徴とする請求項１０記載の動物防除装置。
【請求項１２】
前記超指向性スピーカ装置の音放射方向を定める照準装置を備えたことを特徴とする請求項１乃至請求項１１のうちいずれか一項記載の動物防除装置。
【請求項１３】
前記照準装置には、光源が設けられていることを特徴とする請求項１２記載の動物防除装置。
【請求項１４】
前記光源が発する光の進行方向が、前記超指向性スピーカ装置が放射する音波の進行方向と同じ方向であることを特徴とする請求項１３記載の動物防除装置。
【請求項１５】
前記光源が発する光の進行方向と、前記超指向性スピーカ装置が放射する音波の進行方向とが、同じ方向になるように、前記光源及び前記超指向性スピーカ装置が固定されていることを特徴とする請求項１３記載の動物防除装置。
【請求項１６】
前記光源が、ＬＥＤ光源、レーザ光源もしくは有機ＥＬ光源であることを特徴とする請求項１３乃至請求項１５のうちいずれか一項記載の動物防除装置。
【発明の詳細な説明】
【技術分野】
【０００１】
本発明は、動物防除装置に関する。
【背景技術】
【０００２】
収穫前の農作物に深刻な被害を与える有害鳥獣を威嚇する手段として、大音響の破裂音を発したり、鳥が警戒する鳴き声を発することで、所定範囲内に進入した進入体を威嚇する進入体検出装置が開示されている（例えば、特許文献１参照）。
【０００３】
この特許文献１に開示された進入体検出装置は、複数の赤外線検出部を具備するベース体と、このベース体の上方側に設けられて、赤外線検出部により検出された進入体を威嚇する威嚇手段と、ベース体を所定高さの空間に保持する脚と、この脚を設置面に安定した状態で支持する支持板と、を備えて構成されている。ベース体は、軸が上下に延在する円柱状に形成されている。複数の赤外線検出部は、ベース体の外周面に等間隔でかつ同じ高さ位置に配置されている。威嚇手段は、スピーカと、ストロボ発光部と、を備えて構成されている。これらのスピーカ及びストロボ発光部は、ベース体に対して水平方向に回動自在に設けられている。スピーカとして、超音波パラメトリックスピーカが用いられている。
【０００４】
この進入体検出装置は、赤外線検出部が、水平方向の全方位からの有害鳥獣の進入を検知して、スピーカは、その音放射方向が、赤外線検出部により検知された方向と同じ方向になるように回動され、そして、スピーカから例えば鳥が警戒する警戒音が放射されて、当該有害鳥獣に対して威嚇している。
【先行技術文献】
【特許文献】
【０００５】
【特許文献１】特開２００９−１７８１４０号公報
【発明の概要】
【発明が解決しようとする課題】
【０００６】
しかしながら、前述した特許文献１に記載された進入体検出装置において、超パラメトリックスピーカは、鳥が警戒する警戒音を狭い可聴範囲で遠方まで放射する特性上、その音圧が小さく、有害鳥獣を威嚇するには不十分であった。また、進入体検出装置は、設置が必要なほど大掛かりな装置であった。
【０００７】
本発明は、このような問題点に対処することを課題の一例とするものである。本発明の目的は、十分に有害鳥獣を威嚇することができる動物防除装置を提供することにある。
【課題を解決するための手段】
【０００８】
前記課題を解決し目的を達成するために、請求項１に記載の本発明の動物防除装置は、  音を放射する音放射部と、
前記音放射部の音放射方向とは反対側に設けられ該音放射部を支持する支持部材と、を備え、
前記音放射部には、動物の可聴周波数よりも大きな周波数の超音波をキャリアとして、該可聴周波数を含む音波を放射する超指向性スピーカ装置が複数設けられていることを特徴としている。
【図面の簡単な説明】
【０００９】
【図１】本発明の第１実施例にかかる動物防除装置の斜視図である。
【図２】図１に示す動物防除装置の電気構成図である。
【図３】図２に示す制御装置の処理手順を示すフローチャートである。
【図４】本発明の第１実施例の変形例にかかる動物防除装置の平面図である。
【図５】本発明の第２実施例にかかる動物防除装置の平面図である。
【図６】本発明の第２実施例の変形例にかかる動物防除装置の平面図である。
【図７】本発明の第３実施例にかかる動物防除装置の平面図である。
【発明を実施するための形態】
【００１０】
以下、本発明の一実施形態を説明する。本発明の一実施の形態にかかる動物防除装置は、動物の可聴周波数を含む音波を放射する音放射部と、前記音放射部を支持する支持部材と、を備え、前記音放射部には、前記周波数よりも大きな周波数の超音波をキャリアとする超指向性スピーカ装置が複数の複数設けられている。
【００１１】
これによれば、音放射部には、複数の超指向性スピーカ装置が設けられているので、特定の方向のみに音放射部からの音が放射されることとなり、有害鳥獣を威嚇するのに十分な音圧が確保されることになる。よって、有害鳥獣を駆除するために大きな音を発生させて、周囲で生活する人に迷惑をかけることなく、十分に有害鳥獣を威嚇することができる。
【００１２】
また、支持部材には、音放射部の向きを調整するためのグリップ部が設けられていてもよい。グリップ部が設けられていることにより、簡単に音放射部の向きを調整することができ、使い勝手の向上を図ることができる。
【００１３】
また、音放射部の音の放射状態を操作する操作部を備え、操作部の少なくとも一部が、グリップ部を握った側の手で操作可能な範囲に設けられていてもよい。これにより、グリップ部を握った側の手で、グリップ部を握った状態のまま操作部を操作することができるから、より一層、使い勝手の向上を図ることができる。
【００１４】
また、動物防除装置は、その重量が３ｋｇ以下になるように構成されていてもよい。これにより、動物防除装置が、使用者により片手で保持出来て移動自在であり、よって、動物防除装置を自由に持ち運びすることができ、手軽に有害鳥獣を威嚇することができる。
【００１５】
また、音放射部を駆動する駆動装置と、駆動装置を制御するための制御装置と、を備え、制御装置が、音放射部の放射方向とは反対側に設けられていてもよい。
【００１６】
また、駆動装置に伝送する複数のデータが記憶される記憶装置と、該記憶装置に記憶された複数のデータにしたがって電気信号を出力させる信号発生装置と、を備えていてもよい。これにより、例えば、有害鳥獣としての烏に対する威嚇に適する音や、有害鳥獣としての猪に対する威嚇に適する音等、対象とする有害鳥獣の威嚇に適した音を選択することができる。
【００１７】
また、超指向性スピーカ装置が、パラメトリック現象を利用した超指向性スピーカ装置であってもよい。これにより、特定の方向のみに音放射部からの音を放射することができる。
【００１８】
また、超指向性スピーカ装置が、ＦＭ変調を利用した超指向性スピーカ装置であってもよい。これにより、特定の方向のみに音放射部からの音を放射することができる。
【００１９】
また、複数の超指向性スピーカ装置から放射される音波の進行方向が同じ方向であることが好ましい。これにより、特定の一方向のみに音放射部からの音が放射されることとなり、よって、周囲で生活する人間に迷惑をかけることなく、十分に有害鳥獣を威嚇することができる。
【００２０】
また、複数の超指向性スピーカ装置は、音波が放射される面が同一平面上に設けられていることが好ましい。これにより、複数の超指向性スピーカ装置から発せられる音の位相が互いに同じになるので、より音圧の高い音を放射させることができる。
【００２１】
また、複数の超指向性スピーカ装置が、互いに等間隔に配置されていることが好ましい。これにより、所定の面積に均一に音を放射できる。
【００２２】
また、超指向性スピーカ装置の音放射方向を定める照準装置を備えていてもよい。これにより、音放射部から放射される音の方向を、利用者が把握することができるから、有害鳥獣を狙って威嚇することができる。
【００２３】
また、照準装置には、光源が設けられていてもよい。これにより、音放射部から放射される音の進行方向を、利用者が光により目視確認することができる。
【００２４】
また、光源が発する光の進行方向が、超指向性スピーカ装置が放射する音波の進行方向と同じ方向であってもよい。これにより、より一層、有害鳥獣を狙って威嚇することができる。
【００２５】
また、光源が発する光の進行方向が、超指向性スピーカ装置が放射する音波の進行方向と同じ方向になるように、光源及び超指向性スピーカ装置が固定されていてもよい。これにより、より一層、有害鳥獣を狙って威嚇することができる。
【００２６】
光源が、ＬＥＤ光源、レーザ光源もしくは有機ＥＬ光源であってもよい。
【００２７】
（第１実施例）
本発明の一実施例にかかる動物防除装置について図１〜図３を参照して以下説明する。この動物防除装置１は、音を放射する音放射部２と、この音放射部２を支持する筐体３（支持部材）と、音放射部２を操作するためのスイッチ群４（操作部）と、スイッチ群４の操作に応じて現在の装置の状況を表示する表示部５と、これらのスイッチ群４や表示部５等を制御する制御装置６（図２に示す）と、を備えている。
【００２８】
音放射部２は、円盤状の基板２１と、この基板２１の中心部に設置されたＬＥＤ光源２２（光源）と、基板２１の光源を除く位置に設置された音波放射装置２３と、を備えて構成されている。なお、本実施例では、光源としてＬＥＤ光源２２が用いられているが、レーザ光源や有機ＥＬ光源が用いられていてもよい。光源から発する光が弱い場合は、集光レンズを用いる等の光学的な手段によって所望の強さの光を発するように構成してもよい。
【００２９】
ＬＥＤ光源２２は、使用者が筐体３のグリップ部３１を握った状態で、腕を伸ばした方向の延長線上に光を放射するように設けられている。また、ＬＥＤ光源２２から放射される光の進行方向は、音波放射装置２３により放射された音波の進行方向と一致するように設けられている。このようなＬＥＤ光源２２は、照準装置として機能し、ＬＥＤ光源２２が目的の動物に照射されていることを使用者が確認することができる。
【００３０】
音波放射装置２３は、複数の超指向性スピーカ装置２０を備えて構成されている。複数の超指向性スピーカ装置２０は、音波を放射する面が同一平面に位置するように、互いに等間隔をあけて配置されている。これにより、複数の超指向性スピーカ装置２０から発せられる音の位相が互いに同じになるので、より音圧の高い音を放射させることができる。ここで、本実施例では、基板２１において、その中心部にＬＥＤ光源２２が設置され、複数の超指向性スピーカ装置２０は、ＬＥＤ光源２２を除く位置に等間隔をあけて配置されている。
【００３１】
各超指向性スピーカ装置２０は、音波が、特定の狭い可聴範囲を維持しつつ、遠方まで放射するように構成されている。この超指向性スピーカ装置２０は、可聴音信号等で変調された超音波を空気中へ放射した際に、超音波に対する空気の非線形特性の結果、超音波伝搬路に沿って変調信号が可聴音として復調されるパラメトリックアレイ効果（パラメトリック現象）を利用したスピーカであり、可聴音に極めて鋭い指向性を与えることができる。各超指向性スピーカ装置２０から出力される音波は、音放射部には、動物の可聴周波数よりも大きな周波数の超音波をキャリアとして、該可聴周波数を含む音波を放射するように構成されている。また、本実施例では、超指向性スピーカ装置２０は、パラメトリック現象を利用したパラメトリックスピーカが用いられているが、ＦＭ変調を利用したパラメトリックスピーカが用いられてもよい。
【００３２】
筐体３は、片手で握ることが可能な程度の外径寸法を有する円筒状のグリップ部３１と、このグリップ部３１の軸方向の一端に連続されて基板２１を保持する保持部３２と、を備えて構成されている。グリップ部３１の内部には、ＬＥＤ光源２２や音波放射装置２３に電力を供給する電池（二次電池）が内蔵されている。また、筐体３は、片手で保持できる程度の大きさ及び重さで構成されている。一般的に、成人が片手で無理なく保持できる重さは３ｋｇまでと考えられており、本実施例における動物防除装置１は、その全体の重量が３ｋｇ以下となるように構成されている。
【００３３】
グリップ部３１は、本実施例では、その軸方向の何れの位置においても外径寸法が略等しくなるように形成されている。グリップ部３１は、その外径寸法が、基板２１の外径寸法よりも小さくなるように形成されている。このグリップ部３１には、スイッチ群４と、表示部５と、が設けられている。スイッチ群４は、グリップ部３１を片手で握った状態で親指等が移動可能な範囲内に設けられている。表示部５は、スイッチ群４よりも保持部３２側に隣接する位置に設けられている。また、表示部５は、グリップ部３１を片手で握った状態で、目視可能な位置、即ち手で覆われないで露出する位置に設けられている。
【００３４】
保持部３２は、グリップ部３１における一端から離れるに従って徐々に外径が大きくなるような拡径部を有して構成されている。そして、保持部３２は、グリップ部３１から離れた端部において、グリップ部３１の軸が基板２１の軸、即ちＬＥＤ光源２２が設置された位置と同軸になるように、基板２１を支持している。
【００３５】
スイッチ群４は、ＬＥＤ光源２２の駆動をＯＮ／ＯＦＦする第１スイッチＳ１を有する左ボタン４１と、音波放射装置２３の駆動をＯＮ／ＯＦＦする第２スイッチＳ２を有する右ボタン４２と、光又は音波の状態を調整する複数のスイッチＳ４〜Ｓ７を有する調整ボタン４３と、を備えて構成されている。さらに調整ボタン４３には、ＬＥＤ光源２２の駆動、及び、音波放射装置２３の駆動をＯＦＦするスイッチＳ３が設けられている。左ボタン４１と右ボタン４２とは、グリップ部３１の外周面において、軸に対して直交する方向に間隔をあけて並ぶ位置に設けられている。調整ボタン４３は、左ボタン４１と右ボタン４２との間において、これらのボタン４１、４２と表示部５との間に設けられている。左ボタン４１及び右ボタン４２は、同一形状の円盤状に形成されているとともに、各ボタン４１、４２のスイッチＳ１、Ｓ２は、その中央に設けられている。また、左ボタン４１は、例えばその表面が赤色に形成され、右ボタン４２は、例えばその表面が青色に形成されている。調整ボタン４３は、各ボタン４１、４２よりも外径が大きい円盤状に形成されている。この調整ボタン４３は、上下左右スイッチＳ３〜Ｓ７を有して構成されている。これらのスイッチＳ３〜Ｓ７は、調整ボタン４３において、中央部、中央部を挟んで左右の両側、及び、中央部を挟んで上下の両側に、設けられている。ここで、中央スイッチＳ３は、調整ボタン４３の中央部に設けられ、左スイッチＳ４は、使用者から見て中央スイッチＳ３の左方側に、右スイッチＳ５は、中央スイッチＳ３の右方側に、上スイッチＳ６は、中央スイッチＳ３の上方側に、下スイッチＳ７は、中央スイッチＳ３の下方側に、それぞれ設けられている。
【００３６】
表示部５は、例えば、液晶や有機ＥＬ表示部などのディスプレイから構成されている。この表示部５は、前述したようにグリップ部３１において、スイッチ群４と保持部３２との間に設けられ、ＬＥＤ光源２２及び音波放射装置２３の現在の状況が表示されるように構成されている。この表示部５は、平面視が長方形状に形成され、現在の光の光度の大きさを表示する第１エリア５１と、光の色味を表示する第２エリア５２と、音圧の大きさを表示する第３エリア５３と、後述する音波の種類を表示する第４エリア５４と、グリップ部３１に内蔵された二次電池の残量を表示する第５エリア５５と、を備えて構成されている。
【００３７】
このような筐体３は、使用者が片手でグリップ部３１を握った状態において、スイッチ群４の全てのスイッチＳ１〜Ｓ７が、親指等が移動可能な範囲内に位置するように配置されている。また、表示部５は、使用者がグリップ部３１を握った状態で、表示部５が隠れることなく、当該表示部５の全体を目視可能な位置に配置されている。そして、基板２１の表面が、グリップ部３１の軸に対して直交する方向に延在されているから、ＬＥＤ光源２２の発光部から放射される光の進行方向、及び、全ての超指向性スピーカ装置２０から放射される音波の進行方向が同じ方向となるように構成されることとなり、使用者がグリップ部３１を握った状態で、有害鳥獣などの対象物に向けて腕を伸ばすことで、ＬＥＤ光源２２の発光部から放射される光の進行方向、及び  全ての超指向性スピーカ装置２０から放射される音波の進行方向が、対象物に向けられることとなり、さらに、これらの超指向性スピーカ装置２０が、互いに等間隔に配置されているから、対象物（所定の面積）に均一に音が放射されることとなる。
【００３８】
なお、本実施例では、スイッチ群４の全てのスイッチＳ１〜Ｓ７が、親指等が移動可能な範囲内に位置するように配置されている。即ち、スイッチ群４の全てのスイッチＳ１〜Ｓ７が、グリップ部３１を握った側の手で操作可能な範囲に設けられているが、本発明はこれに限定されるものではない。スイッチ群４の一部のスイッチが、グリップ部３１を握った側の手で操作可能な範囲に設けられていてもよい。
【００３９】
制御装置６は、例えばマイクロコンピュータ（μＣＯＭ）から構成され、スイッチ群４や表示部５などの制御対象に接続されてこれらのスイッチ群４や表示部５の制御を行うように構成されている。
【００４０】
上述した構成の動物防除装置１の電気構成について、図２を参照して説明する。同図に示すように、動物防除装置１は、制御装置６を構成するμＣＯＭと、ＬＥＤ光源２２と、音波放射装置２３と、メモリＭ（記憶装置）を内蔵した信号発生装置６１と、信号発生装置６１と音波放射装置２３との間に接続されて音波放射装置２３（音放射部２）を駆動する駆動装置６２と、を備えて構成されている。このメモリＭには、複数の電気信号が記憶されている。
【００４１】
動物防除装置１は、制御装置６が、左ボタン４１による第１スイッチＳ１からの出力に応じて、ＬＥＤ光源２２のＯＮ／ＯＦＦを制御する。また、制御装置６は、調整ボタン４３による左右の各スイッチＳ４、Ｓ５からの出力に応じて、ＬＥＤ光源２２から放射される光の色味を制御し、上下の各スイッチＳ６、Ｓ７からの出力に応じて、ＬＥＤ光源２２から放射される光の光度の大きさを制御する。
【００４２】
また、動物防除装置１は、制御装置６が、右ボタン４２による第２スイッチＳ２からの出力に応じて、音波放射装置２３のＯＮ／ＯＦＦを制御する。また、制御装置６が、左右の各スイッチＳ４、Ｓ５の出力に応じて、メモリＭに記憶された複数のデータから所定のデータを指示し、信号発生装置６１が、制御装置６によって指示された所定のデータに基づく電気信号を駆動装置６２に向けて出力（伝送）し、駆動装置６２において、電気信号に応じた駆動信号を音波放射装置２３に出力している。ここで、複数のデータとは、周波数、波形、振幅が異なる音波を出力できるようなデータのことであり、具体的には、カラスを威嚇するのに適した音（音波）、熊を威嚇するのに適した音、猪を威嚇するのに適した音などの特定の動物を威嚇するのに適した音を出力できるようなデータのことであり、特定の動物の天敵の鳴き声を出力できるような電気信号のことである。なお、以下では、複数の電気信号に応じて出力される各種の音波のことを「音波の種類」と記す。また、制御装置６は、調整ボタン４３による上下の各スイッチＳ６、Ｓ７からの出力に応じて、音波放射装置２３から出力される音圧の大きさを制御する。
【００４３】
メモリＭには、予め複数のデータが記憶されている。メモリＭは書き換え可能なメモリであるため、メモリＭに記憶されるデータを、使用者が選択することもできる。具体的には、使用者が、必要なデータを新たにメモリＭに記憶することや、不要なデータをメモリＭから削除することもできる。なお、本実施例では、記憶装置として書き換え可能なメモリＭが用いられているが、本発明はこれに限定されるものではなく、記憶装置として、データを書き換えることができない読み出し専用のメモリが用いられていてもよい。
【００４４】
上述した構成の動物防除装置１の詳細な動作について図３を参照して説明する。図３は、図２に示す制御装置６の処理手順を示すフローチャートである。本実施例では、制御装置６が、例えば、左ボタン４１の第１スイッチＳ１の押下に応じて動作を開始する一例を説明する。
【００４５】
第１スイッチＳ１が押下された場合（ステップＳ１でＹ）には、制御装置６は、電源をＯＮにして、ＬＥＤ光源２２を駆動する。即ち、光を放射する（ステップＳ２）。そして、ＬＥＤ光源２２が駆動された状態で、上下の各スイッチＳ６、Ｓ７が押下された場合（ステップＳ３でＹ）には、その上下の各スイッチＳ６、Ｓ７が押下された回数に応じて、光度の大きさを変更する（ステップＳ４）。この後、表示部５の第１エリア５１に現在の光度の大きさに対応するバーの本数を表示する（ステップＳ５）。また、ＬＥＤ光源２２が駆動された状態で、左右の各スイッチＳ４、Ｓ５が押下された場合（ステップＳ６でＹ）には、光の色味を変更する（ステップＳ７）。この後、表示部５の第２エリア５２に現在の光の色味を表示する（ステップＳ８）。
【００４６】
一方、ＬＥＤ光源２２が駆動された状態で、第２スイッチＳ２が押下された場合（ステップＳ１１でＹ）には、制御装置６は、音波放射装置２３を駆動する。即ち、音波を放射する（ステップＳ１２）。そして、音波放射装置２３が駆動された状態で、上下の各スイッチＳ６、Ｓ７が押下された場合（ステップＳ１３でＹ）には、その上下の各スイッチＳ６、Ｓ７が押下された回数に応じて、音圧の大きさを変更する（ステップＳ１４）。この後、表示部５の第３エリア５３に現在の音圧の大きさを対応するバーの本数で表示する（ステップＳ１５）。また、音波放射装置２３が駆動された状態で、左右の各スイッチＳ４、Ｓ５が押下された場合（ステップＳ１６でＹ）には、音波の種類を変更する（ステップＳ１７）。この後、表示部５の第４エリア５４に現在の音波の種類を表示する（ステップＳ１８）。
【００４７】
ここで、音波放射装置２３が駆動されてから所定時間経過すると（ステップＳ１９でＹ）、ＬＥＤ光源２２による放射が停止される（ステップＳ２１）。これに対して、音波放射装置２３が駆動されてから所定時間が経過する前（ステップＳ１９でＮ）に、中央スイッチＳ３が１回短押しされた場合（ステップＳ２０でＹ）には、ＬＥＤ光源２２による放射が停止される（ステップＳ２１）。また、中央スイッチＳ３が２回短押しされた場合（ステップＳ２２でＹ）には、音波放射装置２３の駆動が停止される（ステップＳ２３）。
【００４８】
ステップＳ２１にて、ＬＥＤ光源２２による放射が停止された後、又は、ステップＳ２３にて、音波放射装置２３の駆動が停止された後、中央スイッチＳ３が長押しされた場合（ステップＳ２４でＹ）には、電源がＯＦＦされる（ステップＳ２５）。こうして、表示部５のディスプレイの点灯が消灯される。
【００４９】
なお、本実施例では、中央スイッチＳ３が長押しされた場合（ステップＳ２４でＹ）に、電源がＯＦＦされ（ステップＳ２５）て、表示部５のディスプレイの点灯が消灯されるが、本発明はこれに限定されるものではない。表示部５のディスプレイの点灯は、各種のスイッチＳ１〜Ｓ７の押下後、所定時間経過した後に、自動的に消灯されるように制御されていてもよい。
【００５０】
また、本実施例では、中央スイッチＳ３が、ステップＳ２１の後、又は、ステップＳ２３の後、長押しされた場合のフローの一例を説明したが、これに限定されるものではなく、中央スイッチＳ３は、音波放射装置２３が駆動された状態（ステップＳ１１でＹ）で長押しされた場合（ステップＳ２４でＹ）には、音波放射装置２３がいずれの状態であっても強制的に電源がＯＦＦされる（ステップＳ２５）。
【００５１】
次に、動物防除装置１の使用方法について説明する。グリップ部３１を握り、有害鳥獣に向けて腕を伸ばす。すると、ＬＥＤ光源２２の発光部、及び、全ての超指向性スピーカ装置２０の音波が放射される面が、有害鳥獣に向けられる。この状態で、まず、第１スイッチＳ１を押下して、ＬＥＤ光源２２から放射された光の進行方向を有害鳥獣に合致させる。即ち、光の照準を有害鳥獣に合わせ、この状態で、第２スイッチＳ２を押下する。すると、音波放射装置２３から有害鳥獣に向けて音波が放射される。音波放射装置２３から放射される音波は、動物の可聴周波数よりも大きな周波数の超音波をキャリアとして、該可聴周波数を含む音波から構成されている。こうして、有害鳥獣を威嚇する。
【００５２】
なお、上述した実施例では、動物防除装置１が、メモリＭに記憶されたデータを音波放射装置２３にて出力するように構成されているが、本発明はこれに限定されるものではない。例えば、制御装置６が、記憶された音波の周波数、波形、振幅等が可変に構成されていてもよい。これにより、メモリＭに記憶されたデータにおいて、音波の周波数、波形、振幅が変更されて出力されることとなり、よって、有害鳥獣が特定の音波に慣れることがなくなって、より一層効果的に有害鳥獣を威嚇することができる。また、記憶装置として書き換え可能なメモリＭが用いられた場合には、音波の周波数、波形、振幅が変更にされたデータを、記憶することが可能なように構成されていてもよい。このようにすることで、変更されたデータにより形成される音を再現することができる。
【００５３】
また、上述した実施例では、ＬＥＤ光源２２から放射される光の光度や色度が制御されているが、本発明はこれに限定されるものではない。ＬＥＤ光源２２は、一時的に光度を大きくするようなフラッシュ機能を有して構成されていてもよく、放射される光が点滅するように構成されていてもよい。ＬＥＤ光源２２が、このようなフラッシュ機能を有して構成されていたり、放射される光が点滅するように構成されていることで、有害鳥獣に対する威嚇効果を補助することもできる。
【００５４】
また、上述した実施例では、第１スイッチＳ１が押下された後、第２スイッチＳ２が押下された場合には、第２スイッチＳ２が押下されてから所定時間経過後（ステップＳ１９でＹ）に、ＬＥＤ光源２２による放射が停止（ステップＳ２１）されている。即ち、音波放射装置２３とＬＥＤ光源２２とは連動して制御されているが、本発明はこれに限定されるものではない。音波放射装置２３とＬＥＤ光源２２とは独立して制御されていてもよい。この場合には、例えば、第１スイッチＳ１が押下された後、第２スイッチＳ２が押下された場合においても、第２スイッチＳ２が押下されてから所定時間経過後に、ＬＥＤ光源２２による光の放射が停止されずに、光が放射され続けてもよい。このように、音波放射装置２３とＬＥＤ光源２２とが独立して制御されていてもよい。
【００５５】
また、上述した実施例では、保持部３２は、グリップ部３１における一端から離れるに従って徐々に外径が大きくなるような拡径部を有して構成されているが、保持部３２は必須の構成ではないので省略されていてもよい。その場合には、図４に示すように、基板２１は、その表面がグリップ部３１の延在方向に対して直交する方向に延在するように、板状の保持部３２を介してグリップ部３１に固定されていてもよい。
【００５６】
続いて、第２実施例に係る動物防除装置について、図５を参照して説明する。図５は、本発明の第２実施例にかかる動物防除装置の平面図である。なお、図５において、上述した実施例と同一構成乃至同一機能を有する部分には、同一符号を付して説明を省略する。第２実施例の動物防除装置１０と、第１実施例の動物防除装置１とは、音放射部２を支持する筐体１３（支持部材）の形状のみが異なる。
【００５７】
第２実施例では、図５に示すように、筐体１３は、基板２１に対して直交する方向に延在する長尺状の筐体本体１４と、中指、薬指及び小指で握ることが可能なように形成されたグリップ部１５と、人差し指で引くことで音放射部２から音波を出力する引き金１６（操作部）と、引き金１６を引く方向に対して直交する方向に延在するように基板２１を保持する長尺状の保持部１７と、グリップ部１５の近傍に位置するスイッチ群４（操作部）と、装置の状況を表示する表示部５と、を有して構成されている。スイッチ群４は、光又は音波の状態を調整する複数のスイッチＳ４〜Ｓ７を有する調整ボタンを備えて構成されている。なお、図５において、調整ボタンの図示は省略されている。グリップ部１５は、筐体本体１４の基板２１から離れた側の端部に設けられている。また、グリップ部１５は、厚みを有する板状に形成されているとともに、基板２１が延在する方向と引き金１６を引く方向との両方に交差する方向において、基板２１から離れる方向に延在して設けられている。さらに、筐体本体１４には、そのグリップ部１５側の端部に連続形成された銃床１８が設けられている。銃床１８は例えば肩に当てられて、照準を安定させるために設けられている。使用者が引き金１６を引く方向は、筐体本体１４の延在方向と同じ方向になるように構成されている。
【００５８】
このような第２実施例の筐体１３は、使用者がグリップ部１５を握った状態において、引き金１６及びスイッチ群４が、人差し指が移動可能な範囲内に位置するように配置されている。これにより、グリップ部１５を握った側の手で、グリップ部１５を握った状態のまま引き金１６及びスイッチ群４を操作することができるから、使い勝手の向上を図ることができる。
【００５９】
さらに、第２実施例における筐体１３に、照準装置として機能するのぞき孔（図示しない）が設けられていてもよいし、第１実施例と同様に基板２１に照準装置としての光源２２が備えられていてもよい。後者の場合、例えば引き金１６を軽く引いた場合には、光源２２から光が照射され、さらに引き金１６を強く引いた場合には、音放射部２から音が放射される構成にする。また、第２実施例における筐体１３には、銃床１８が設けられているが、本発明はこれに限定されるものではなく、図６に示すように、銃床１８は省略してもよい。なお、図６は、本発明の第２実施例の変形例にかかる動物防除装置の側面図である。この場合には、動物防除装置は、図５に示す第２実施例の動物防除装置１０よりも、軽量化及び小型化を図ることができ、より一層、使い勝手の向上を図ることができる。また、動物防除装置は、収容する際や使用していない場合に、コンパクトにするために、筐体本体１４が、折り曲げ自在、折り畳み自在、伸縮自在に構成されていてもよい。
【００６０】
続いて、第３実施例に係る動物防除装置について、図７を参照して説明する。図７は、本発明の第３実施例にかかる動物防除装置の平面図である。なお、図７において、上述した実施例と同一構成乃至同一機能を有する部分には、同一符号を付して説明を省略する。第３実施例に係る動物防除装置には、照準装置８が設けられている。照準装置８は銃器などにも採用されるオープンサイト（フロントサイトとリアサイトの組み合わせ）でもよいし、光学照準器でもよい。また、第３実施例にかかる動物防除装置は、第２実施例に備えられている引き金１６の代わりに、第１実施例に備えられたスイッチ群４を備えている。このスイッチ群４は、ＬＥＤ光源２２の駆動をＯＮ／ＯＦＦする第１スイッチＳ１を有する左ボタン４１と、音波放射装置２３の駆動をＯＮ／ＯＦＦする第２スイッチＳ２を有する右ボタン４２と、光又は音波の状態を調整する複数のスイッチＳ４〜Ｓ７を有する調整ボタン４３と、を備えて構成されている。さらに調整ボタン４３には、ＬＥＤ光源２２の駆動、及び、音波放射装置２３の駆動をＯＦＦするスイッチＳ３が設けられている。
【００６１】
なお、上述した実施例によれば、動物防除装置１、１０は、音を放射する音放射部２と、音放射部２の音放射方向とは反対側に設けられ該音放射部２を支持する筐体３（支持部材）と、を備え、音放射部２には、動物の可聴周波数よりも大きな周波数の超音波をキャリアとして、該可聴周波数を含む音波を放射する超指向性スピーカ装置２０が複数設けられている。
【００６２】
これによれば、音放射部２には、複数の超指向性スピーカ装置２０が設けられているので、特定の方向のみに音放射部２からの音が放射されることとなり、有害鳥獣を威嚇するのに十分な音圧が確保されることになる。よって、有害鳥獣を駆除するために大きな音を発生させて、周囲で生活する人に迷惑をかけることなく、十分に有害鳥獣を威嚇することができる。
【００６３】
当業者は、従来公知の知見に従い、本発明の骨子を逸脱しない範囲で種々改変して実施することができる。かかる改変によってもなお本発明の動物防除装置の構成を具備する限り、勿論、本発明の範疇に含まれるものである。
【符号の説明】
【００６４】
１          動物防除装置
２          音放射部
３          筐体（支持部材）
４          スイッチ群（操作部）
６          制御装置
８          照準装置
１５、３１  グリップ部
２０        超指向性スピーカ装置
２２        光源（照準装置）
６１        信号発生装置
６２        駆動装置
【図１】
2016028558.tif 000003
【図２】
2016028558.tif 000004
【図３】
2016028558.tif 000005
【図４】
2016028558.tif 000006
【図５】
2016028558.tif 000007
【図６】
2016028558.tif 000008
【図７】
2016028558.tif 000009